(57)【要約】【課題】ネットワークを介して楽曲データの配信を受けるための処理を容易化したクライアント登録方法およびカラオケ装置の開局方法を提供する。【解決手段】カラオケ店舗等のクライアント側に設置されるルータ６には、予めプライベートアドレスが設定されており、このプライベートアドレスのネットワークアドレス部分がこのルータ（クライアント）を個別に識別する情報となる。このルータ６に接続されたカラオケ装置３は、このルータ６から自己のプライベートアドレスを取得するとともに、このクライアント（カラオケ店舗）を識別するクライアント識別情報を含む電文を開局サーバ１に送信する。開局サーバ１は、このクライアント識別情報およびプライベートアドレスから割り出したネットワークアドレスをこのクライアントの情報として登録する。【選択図】　図１
2004109263.tif 000002
【特許請求の範囲】
【請求項１】
ＬＡＮのネットワークアドレスおよびプロバイダを経由してＷＡＮに接続するための情報が予め記憶されたルータをＷＡＮに接続する手順、
このルータにカラオケ装置を接続する手順、
このカラオケ装置にクライアント識別情報を入力する手順、
カラオケ装置が、ＷＡＮを経由してサーバ装置にアクセスし、前記クライアント識別情報および前記ネットワークアドレスを送信することにより、前記ネットワークアドレスをこのクライアントのアドレスとして前記サーバ装置に登録する手順、
からなるクライアント登録方法。
【請求項２】
前記ルータは、前記ネットワークアドレスを含むプライベートアドレスを記憶しており、前記カラオケ装置は、前記ネットワークアドレスを含むプライベートアドレスをサーバ装置に送信する請求項１に記載のクライアント登録方法。
【請求項３】
ＬＡＮのネットワークアドレス、プロバイダを経由してＷＡＮに接続するための情報、および、カラオケ装置に対して楽曲データを配信する複数の配信サーバをＬＡＮで接続したサーバ側ルータとの間でＶＰＮを構築するための情報が予め記憶されたクライアント側ルータをＷＡＮに接続する手順、
このクライアント側ルータにカラオケ装置を接続する手順、
カラオケ装置が、ＷＡＮを経由して開局サーバにアクセスし、この開局サーバから、前記ネットワークアドレスに対応する配信サーバのＩＰアドレスを取得する手順、
カラオケ装置が、クライアント側ルータとサーバ側ルータとの間で構築されたＶＰＮを介して、前記ＩＰアドレスを取得した配信サーバと通信する手順、
を有することを特徴とするカラオケ装置の開局方法。
【発明の詳細な説明】
【０００１】
【発明の属する技術分野】
この発明は、ネットワークを介して楽曲データをダウンロードするカラオケ装置の楽曲データ配信システムに関する。
【０００２】
【従来の技術】
現在普及しているカラオケ装置の多くは、サーバ装置からカラオケ楽曲データの配信を受ける通信カラオケ装置である。従来の通信カラオケ装置は、配信サーバ装置と公衆電話回線を介して通信することによって楽曲データの配信を受けるようになっていた（たとえば、特許文献１参照）。
【０００３】
【特許文献１】
特開平９−１２７９６４号公報（第３頁、第１図）
【０００４】
【発明が解決しようとする課題】
しかし、公衆電話回線による通信では、配信サーバ装置は、各カラオケ装置と１対１で通信しなければならないため非効率的であるとともに、各カラオケ装置との通信毎に電話料金が発生するため、多数設置されているカラオケ装置のそれぞれに楽曲データを配信すると相当額の通信料金が必要になっていた。
【０００５】
そこで、インターネット（ブロードバンド）を介して楽曲データを配信することが考えられるが、インターネットは、誰でも自由にアクセスできるネットワークであるため、クライアントの認証が電話番号による認証ほど容易ではなく、また配信するデータのセキュリティを維持することも困難である。
【０００６】
これを解決するために、クライアントを認証するために特別の認証用のサーバを構築したり、楽曲データの配信のためにＶＰＮ（バーチャル・プライベート・ネットワーク）を構築することが考えられるが、このためには、カラオケ店舗などのクライアント側に設置されるルータにそのための設定が必要であるとともに、このルータを認証用のサーバに登録するなどの処理が必要となり、カラオケ店舗などの現場でこのような処理をすることは非常に面倒であるという問題点があった。
【０００７】
この発明は、ネットワークを介して楽曲データの配信を受けるための処理を容易化したクライアント登録方法およびカラオケ装置の開局方法を提供することを目的とする。
【０００８】
【課題を解決するための手段】
請求項１の発明は、ＬＡＮのネットワークアドレスおよびプロバイダを経由してＷＡＮに接続するための情報が予め記憶されたルータをＷＡＮに接続する手順、このルータにカラオケ装置を接続する手順、このカラオケ装置にクライアント識別情報を入力する手順、カラオケ装置が、ＷＡＮを経由してサーバ装置にアクセスし、前記クライアント識別情報および前記ネットワークアドレスを送信することにより、前記ネットワークアドレスをこのクライアントのアドレスとして前記サーバ装置に登録する手順、からなることを特徴とする。
請求項２の発明は、前記発明において、前記ルータは、前記ネットワークアドレスを含むプライベートアドレスを記憶しており、前記カラオケ装置は、前記ネットワークアドレスを含むプライベートアドレスをサーバ装置に送信することを特徴とする。
【０００９】
請求項３の発明は、ＬＡＮのネットワークアドレス、プロバイダを経由してＷＡＮに接続するための情報、および、カラオケ装置に対して楽曲データを配信する複数の配信サーバをＬＡＮで接続したサーバ側ルータとの間でＶＰＮを構築するための情報が予め記憶されたクライアント側ルータをＷＡＮに接続する手順、このクライアント側ルータにカラオケ装置を接続する手順、カラオケ装置が、ＷＡＮを経由して開局サーバにアクセスし、この開局サーバから、前記ネットワークアドレスに対応する配信サーバのＩＰアドレスを取得する手順、カラオケ装置が、クライアント側ルータとサーバ側ルータとの間で構築されたＶＰＮを介して、前記ＩＰアドレスを取得した配信サーバと通信する手順、を有することを特徴とする。
【００１０】
この発明では、クライアント側に設置されるルータに、ＬＡＮのネットワークアドレスが予め設定されている。このネットワークアドレスは、このルータのプライベートアドレスに含めて記憶されている場合も含む。サーバ装置には複数のルータがアクセスするが、各ルータにはそれぞれユニークなネットワークアドレスが設定されているため、このネットワークアドレスがこのルータ、すなわちクライアントを識別するアドレスとなる。
そして、このルータには、プロバイダを経由してＷＡＮに接続するための情報、配信サーバ側のルータとＶＰＮを構築するための情報等も予め設定されている。
【００１１】
このように、各種の情報が予め（工場出荷時に）ルータに設定されているため、このルータにカラオケ装置を接続すれば、カラオケ装置がＷＡＮを介してサーバ装置（開局サーバ）にアクセスすることが可能になり、カラオケ装置に与えられているプライベートアドレスをサーバ装置に送信することでルータのネットワークアドレスも伝達することができ、このネットワークアドレスをこのクライアントのアドレスとしてサーバ装置に登録することができる。このように、（クライアント側の）ルータは接続するのみでよく何の設定も不要であるため、登録処理が容易化される。
【００１２】
また、この発明では、カラオケ装置は、開局サーバから配信サーバのＩＰアドレス（サーバ装置側のＬＡＮのプライベートアドレス）を取得し、ＶＰＮを経由してこのＩＰアドレスを取得した配信サーバに接続する。クライアント側のルータには配信サーバ側のルータとＶＰＮを構築するために必要な情報が予め設定されている。これにより、ルータに何らの設定をすることなく、開局サーバから配信サーバのＩＰアドレスを取得するのみで配信サーバと通信することができるため、カラオケ装置の開局が容易化される。
【００１３】
【発明の実施の形態】
図１は、この発明が適用されたカラオケ装置の楽曲データ配信システムの構成図である。開局サーバ１はルータ４を介してインターネット７に接続されている。このルータ４には固定的なグローバルアドレスが割り当てられている。開局サーバ１は、インターネット７を介して通信するための通信手段２０、開局処理を行うための制御手段２１、および、開局したカラオケ装置を登録するデータベースを有する記憶手段２２を有している。開局サーバ１は、クライアントのルータ６やカラオケ装置３を登録し、各配信サーバ２に対して楽曲データの配信を指示する管理用のサーバである。
【００１４】
また、複数の配信サーバ２（２−１〜２−ｎ）は、ルータ５を介してインターネット７に接続されている。このルータ５には固定的なグローバルアドレスが割り当てられている。複数の配信サーバ２はルータ５の下流側でローカル・エリア・ネットワーク（ＬＡＮ）１１で接続されている。配信サーバ２は、後述のＶＰＮ８で接続されるカラオケ装置３に対して楽曲データをダウンロードするためのサーバである。これら開局サーバ１、ルータ４および複数の配信サーバ２、ルータ５は、楽曲データ配信のセンタ施設に設置されている。また、開局サーバ１と複数の配信サーバ２は、インターネットとは切り離されたＬＡＮ１０で接続されており、互いに通信が可能になっている。
【００１５】
カラオケ店舗などのクライアント側では、ルータ６を介して１または複数台のカラオケ装置３がインターネット７に接続される。ルータ６およびカラオケ装置３はＬＡＮ１２で接続される。カラオケ装置３は、インターネット７を介して通信するための通信手段２３、ルータ登録処理、開局処理およびカラオケ曲の演奏処理などを実行する制御手段２４および記憶手段２５を有している。
【００１６】
カラオケ装置３の記憶手段２５には、図４（Ａ）に示すように、開局サーバアドレス、ルータアドレス、配信サーバアドレス、開局データ（自己のプライベートアドレス、店舗コード、パスワード、識別コード、配信時間帯）、および、楽曲データ、演奏プログラムなどが記憶される。開局サーバアドレスは、工場出荷時にプリセットされている。ルータアドレスおよび自己のプライベートアドレスは、カラオケ装置がＬＡＮ１２に接続されたときルータ６から与えられる。配信サーバアドレスは、後述する開局処理によって取得する。店舗コードおよびパスワードは、このクライアントがサーバ運用会社との契約によって与えられたコードであり、この店舗コードおよびパスワードの認証によって開局サーバ１へのアクセスが可能になる。この店舗コード、パスワードは、ルータ登録処理時、カラオケ装置の開局処理時に係員によって入力され、これらの処理が終了すると、この記憶エリアから消去される。識別コードは、クライアント内部でこのカラオケ装置を識別するコードであり、係員が任意に付けることができるものである。カラオケ店の場合、通常そのカラオケ装置が設置される部屋番号が付される。配信時間帯は、このカラオケ装置に対して楽曲データを配信するのに好ましい時間帯である。店舗コード、パスワード、識別コード、配信時間帯は、カラオケ装置の設置時に係員によって入力される。
【００１７】
配信サーバ２側のＬＡＮ１１とカラオケ装置３側のＬＡＮ１２は、ルータ５およびルータ６により、ＩＰｓｅｃ（ＩＰ　Ｓｅｃｕｒｉｔｙ　Ｐｒｏｔｏｃｏｌ）によるバーチャル・プライベート・ネットワーク（ＶＰＮ：ｖｉｒｔｕａｌ　ｐｒｉｖａｔｅ　ｎｅｔｗｏｒｋ）８で接続されており、ＬＡＮ１１上の任意の配信サーバ２からＬＡＮ１２上の任意のカラオケ装置３に対して、インターネット７上でのセキュリティを維持しながら、ＴＣＰ／ＩＰプロトコルによる通信が可能になっている。
【００１８】
なお、この図では、説明を簡略化するため、ルータ６、カラオケ装置３からなるクライアントを１つのみ記載しているが、実際の実施形態は、複数のクライアントを備えているのが一般的である。
【００１９】
カラオケ装置３が配信サーバ２から楽曲データの配信を受けられるようになるためには；
（１）クライアントのアドレス（ルータ６に設定されているネットワークアドレス）を開局サーバ１に登録し（ルータ登録処理）、
（２）ルータ６（ＬＡＮ１２）に接続されているカラオケ装置３のプライベートアドレスを開局サーバ１に登録する（開局処理）必要がある。
なお、ルータ６にはプライベートアドレス（およびネットマスク長）としてネットワークアドレスが設定されている。
【００２０】
以下、図２、図３等を参照して、新たなクライアントがルータ６のネットワークアドレスを開局サーバ１に登録する場合の処理について説明する。
図２（Ｂ）において、カラオケ店舗などのクライアントが新たに運用を開始する場合、この店舗に係員が赴いてルータ６およびカラオケ装置３を設置し（ｓ１０１、ｓ１０２）、ルータ６をカラオケ装置３およびインターネット７に接続する（ｓ１０３）。そして、開局サーバ１に対してルータの登録処理を行う（ｓ１０５）。
【００２１】
ここで、同図（Ａ）に示すように、ルータ６には、このルータ６のプライベートアドレス（例えば１０．２．２０．１）、ネットマスク長（２４ビット）、および、インターネットのプロバイダに接続するためのデータ、配信サーバ２のルータ４とＶＰＮを構築するためのデータなどが、工場出荷時に予めプリセットされている。プロバイダに接続するためのデータは、プロバイダ接続用ユーザＩＤ、プロバイダ接続用パスワードなどであり、ルータ４とＶＰＮを構築するためのデータは、ＩＰｓｅｃのＰｒｅ−Ｓｈａｒｅｄ−Ｋｅｙ、ルータ４のセキュリティ・ゲート・ウェイ（ＳＧＷ）アドレス、このルータ６の名前などである。
上記データが工場出荷時にルータ６に予め設定されていることにより、店舗に赴いた係員は、設置時にこのルータ６に対するデータ入力が不要になる。
【００２２】
一般的には、クライアントが複数であるため、インターネット７に複数のルータ６が接続されるが、各ルータ６にはそれぞれユニークなプライベートアドレス（ネットワークアドレス）が設定されているため、開局サーバ１は、このネットワークアドレスにより、各ルータ（クライアント）を識別することができる。
【００２３】
ルータ登録処理は概ね以下のようである。
係員は、上記カラオケ装置３−ルータ６−インターネット７の接続ののち（ｓ１０３）、カラオケ装置３およびルータ６の電源を投入する（ｓ１０４）。そうすると、ルータ６の機能によりカラオケ装置３にプライベートアドレスが付与される。
【００２４】
係員は、カラオケ装置３をルータ登録モードにし、店舗コードおよびパスワードを入力して、開局サーバ１にアクセスする。このとき、カラオケ装置３は、開局サーバ１に対してルータ登録要求電文を送信する。ルータ登録要求電文は、ルータ登録要求、カラオケ装置３のプライベートアドレス、店舗コード、パスワード等で構成される。
【００２５】
開局サーバ１は、このルータ登録要求電文を受信すると、まず、店舗コード、パスワードでクライアントを認証する。すなわち、クライアントはサーバ運用会社との契約により予め店舗コード、パスワードが交付されており、開局サーバ１は、図４（Ｂ）に示すように、この交付された店舗コードおよびパスワードをデータベースに記憶している。この店舗コードおよびパスワードにより、正しいクライアントからのアクセスであることが認証されると、カラオケ装置３のプライベートアドレスのうち、ネットマスクされている上位２４ビットをネットワークアドレスとして抽出し、これをこのクライアントのアドレスとして登録する。上記の例のように、カラオケ装置３のプライベートアドレスが「１０．２．２０．２」であったとすると、このネットワークアドレスは「１０．２．２０」となる。同時に、このクライアントに対して担当の配信サーバ２（２−１〜２−ｎ）を割り当て、クライアント名、クライアントのネットワークアドレス、担当配信サーバ２のＩＰアドレスを対応づけて、図４（Ｂ）のクライアントテーブルに登録する。配信サーバ２のＩＰアドレスは、ＬＡＮ１１内のプライベートアドレスとして与えられる。
【００２６】
これにより、ルータ６にユニークに設定されているネットワークアドレスが開局サーバ１にクライアントのアドレスとして登録され、これ以後ルータ６に接続されるカラオケ装置３が開局サーバ１にアクセスしたとき、そのプライベートアドレスに基づいてどのクライアントに属するカラオケ装置であるかが識別される。
こののち係員は、後述するカラオケ装置３の開局処理を行う（ｓ１０７）。
【００２７】
なお、上記ルータ登録処理はインターネット７を介して行われるが、ルータ６にインターネット・プロバイダのユーザＩＤおよびパスワードが既に設定されていることにより、ルータ６にはプロバイダから自動的にグローバルアドレスが付与され、係員は何らの設定なしにインターネットにアクセスすることが可能になっている。
【００２８】
上記ルータ登録処理時におけるルータ６、カラオケ装置３、開局サーバ１の各々の処理動作を図３のフローチャートを参照して説明する。
同図（Ａ）はルータ６の動作を示すフローチャートである。ルータ６がクライアントの店舗に設置され、カラオケ装置３、インターネット７と接続されたのち電源がオンされると、接続されているカラオケ装置３に対してＬＡＮ１２における（ＶＰＮで使用する）プライベートアドレスを割り当てる（ｓ２１）。そしてカラオケ装置３からアクセスがあると、このアクセスをＷＡＮ（ＶＰＮを含む）に中継するとともに、ＷＡＮからのアクセスをカラオケ装置３側に中継する（ｓ２２）。なお、これはルータ６の通常動作であるが、インターネットへ接続するために必要なデータが予め設定されているため、係員がクライアントの現場で何らの設定をすることなく、ケーブルを接続して電源をオンするのみでこの動作を実行する。
【００２９】
同図（Ｂ）はカラオケ装置３の動作を示すフローチャートである。ルータ６とケーブルが接続されたのち電源がオンされるとこの動作を実行する。起動すると、まずルータ６からプライベートアドレスを取得してレジスタに記憶する（ｓ２５）。そして、こののち係員によってルータ登録操作が行われる（ｓ２６）。ここで、ルータ登録操作とは、カラオケ装置をルータ登録モードにし、この状態で店舗コード、パスワードなどのデータを入力する操作である。これにより、カラオケ装置は、開局サーバ１にアクセスし、ルータ登録要求電文を送信する（ｓ２７）。この電文の送信により、開局サーバ１は、ルータのネットワークアドレスをこのクライアントのアドレスとして登録する。
【００３０】
同図（Ｃ）は開局サーバ１の動作を示すフローチャートである。カラオケ装置３からルータ登録要求電文を受信すると（ｓ３０）、この電文に含まれる店舗コード、パスワードを用いて、このアクセスが正当なクライアントからのアクセスであるかを認証する（ｓ３１）。認証結果がＯＫであれば（ｓ３２）、このルータ登録要求電文で送られてきたプライベートアドレスから求めたネットワークアドレス、およびこのクライアントに割り当てた担当の配信サーバ２のＩＰアドレス（プライベートアドレス）を対応づけて、図４（Ｂ）のクライアントテーブルに登録する（ｓ３３）。
これにより、クライアントの店舗において新たにルータ６が設置される場合でも、ルータ６に対して何らの設定操作をすることなく、カラオケ装置３からの操作によってルータ６のネットワークアドレスをクライアントのアドレスとして開局サーバ１に登録することができる。
【００３１】
上記の処理でルータ６の登録を終了すると、次は、カラオケ装置３を開局させるために、図５〜図７で説明する開局処理を行う。
図５〜７を参照して、上記処理で登録されたルータ６に接続されているカラオケ装置３の開局処理について説明する。図５はカラオケ装置３の開局処理動作を示すフローチャートである。図６は開局サーバ１の開局処理動作を示すフローチャートである。図７はカラオケ装置３、開局サーバ１、配信サーバ２の通信手順を示す図である。
【００３２】
図５および図７において、カラオケ装置３の電源が投入されると、この処理動作が実行される。電源の投入によって装置が起動し（ｓ１）、通信手段２３がルータ６と通信して、プライベートアドレスを取得する（ｓ２）。ここでは、ルータ６のプライベートアドレスを（１０．２．２０．１）とし、このカラオケ装置３が取得したプライベートアドレスを（１０．２．２０．５）とする。上記ルータ６の登録処理に続けてこのカラオケ装置３の開局処理が実行される場合には、このｓ１、ｓ２の処理は上記ルータ６の登録処理と共通である。
【００３３】
そして、係員がこのカラオケ装置の開局処理に必要なデータを入力する（ｓ３）。ここで入力されるデータは、上述した店舗コード、パスワード、識別コード、配信時間帯などである。これらのデータが入力され、係員によって所定のアクセス操作が行われると、カラオケ装置は、インターネット７を経由して開局サーバ１にアクセスする（ｓ４）。このアクセスにおいて、上記開局データ（店舗コード、パスワード、識別コード、配信時間帯、プライベートアドレス）が開局サーバ１に対して送信される。
【００３４】
開局サーバ１は、受信したプライベートアドレス（ネットワークアドレス）によってどのクライアントに設置されたカラオケ装置かを割り出し、そのクライアントを担当する配信サーバ２のＩＰアドレスをクライアントテーブル（図４（Ｂ））から読み出して、カラオケ装置３に返信する。
【００３５】
カラオケ装置３は、開局サーバ１から配信サーバ２のＩＰアドレスを受信すると（ｓ５）、ＶＰＮ８を経由して、このＩＰアドレス宛にｐｉｎｇを送信する（ｓ６）。ルータ６には配信サーバ２のルータ４とＶＰＮを構築するためのデータが予め設定されているため、カラオケ装置３がＬＡＮ１１側のＩＰアドレス（プライベートアドレス）で配信サーバ２をアクセスすれば、ルータ６が自動的にＶＰＮ８を経由して、ＬＡＮ１１側にこれを伝達する。
【００３６】
このｐｉｎｇに対する応答を受信すれば（ｓ７）、割り当てられた配信サーバ２とＶＰＮ８経由で接続されていると判断して接続確認済メッセージを開局サーバ１に対して送信する（ｓ８）。この接続確認済メッセージの送信により、開局手続きは完了し、こののち割り当てられた配信サーバ２から定期的に楽曲データが配信されてくるようになる。
【００３７】
次に、図６および図７において、カラオケ装置３から開局処理のアクセスがあると、開局サーバ１は、このカラオケ装置３から店舗コード、パスワード、識別コード、プライベートアドレス、配信時間帯などからなる開局データを受信する（ｓ１１）。そして、プライベートアドレスからネットワークアドレスを割り出し、このネットワークアドレスでクライアントテーブルを検索して、このカラオケ装置３に対する楽曲データの配信を担当する配信サーバ２を割り当てる（ｓ１２）。そして、この配信サーバ２のプライベートアドレスをカラオケ装置３に対して返信する（ｓ１３）。こののち、このカラオケ装置３から接続確認済メッセージが送信されてくるまで待機する（ｓ１４）。カラオケ装置から接続確認済メッセージが送信されてくれば、カラオケ装置の開局処理は終了したとして、上記受信した開局データ（識別コード、プライベートアドレス、配信時間帯など）をデータベースに登録するとともに（ｓ１５）、このカラオケ装置のプライベートアドレスおよび配信時間帯を担当の配信サーバ２に通知して（ｓ１６）、定期的なカラオケ曲の配信を開始させる。
なお、この開局サーバ１から配信サーバ２への通知はＬＡＮ１０を介して行われる。
【００３８】
以上の処理により、係員が手入力で配信サーバ２のプライベートアドレスの設定をしなくても、工場出荷時に予め入力されている開局サーバ１のアドレス（グローバルアドレス）を用いてオンラインで開局処理をすることによって、自動的に配信サーバ２のプライベートアドレスの設定をすることができる。
【００３９】
【発明の効果】
以上のようにこの発明によれば、カラオケ装置でサーバ装置（開局サーバ）にアクセスするのみで、ルータのネットワークアドレスをクライアントのアドレスとして登録することができるため、クライアントの登録を容易化することができる。
【００４０】
また、この発明によれば、開局サーバから配信サーバのプライベートアドレスを取得すれば、予めルータに設定されているＶＰＮ構築情報に基づいて配信サーバのルータとＶＰＮを構築して通信をすることができるため、カラオケ装置の開局、すなわち配信サーバからの楽曲データの配信開始を容易化することができる。
【００４１】
【図面の簡単な説明】
【図１】この発明が適用されたカラオケ装置の楽曲データ配信システムのブロック図
【図２】クライアントにおけるルータ、カラオケ装置の設置手順を説明する図
【図３】ルータ設置時のルータ、カラオケ装置、開局サーバの動作を示すフローチャート
【図４】カラオケ装置の記憶手段の構成図
【図５】カラオケ装置の開局処理動作を示すフローチャート
【図６】開局サーバの開局処理動作を示すフローチャート
【図７】カラオケ装置、開局サーバ、配信サーバの通信手順を示す図
【符号の説明】
１…開局サーバ、２（２−１〜２−ｎ）…配信サーバ、３（３−１〜３−ｍ）…カラオケ装置、４，５，６…ルータ、７…インターネット、８…ＶＰＮ、１０、１１、１２…ＬＡＮ、２０…通信手段、２１…制御手段、２２…記憶手段、２３…通信手段、２４…制御手段、２５…記憶手段
【図１】
2004109263.tif 000003
【図２】
2004109263.tif 000004
【図３】
2004109263.tif 000005
【図４】
2004109263.tif 000006
【図５】
2004109263.tif 000007
【図６】
2004109263.tif 000008
【図７】
2004109263.tif 000009